(57)【要約】【課題】緊急情報の発信を適切に行うことができる携帯通信機器を提供する。【解決手段】自機の位置情報を取得する取得部と、通信先を複数記憶する記憶部と、記憶部に記憶された一の通信先に緊急発信を行い、緊急発信が受信されたことを示す受信信号を受信可能な通信部と、位置情報が設定された範囲外である場合には、緊急発信が成功したことを示す受信信号を一の通信先から受信するまで、通信先を切り替えて、記憶部に記憶されている通信先への緊急発信を順次行い、一の通信先から受信信号を受信した後で、かつ、取得部で取得した位置情報が設定された範囲外である場合に、当該一の通信先から緊急発信に対応した対処が不可能である旨を示す対処不可信号を受信したら、記憶部に記憶されている通信先への緊急発信を新たに行う制御部と、を備える。【選択図】図１
2011155515.tif 000002
【特許請求の範囲】
【請求項１】
自機の位置情報を取得する取得部と、
通信先を複数記憶する記憶部と、
前記記憶部に記憶された一の通信先に緊急発信を行い、前記緊急発信が受信されたことを示す受信信号を当該一の通信先から受信可能な通信部と、
前記取得部で取得した位置情報が設定された範囲外である場合には、前記緊急発信が成功したことを示す受信信号を一の通信先から受信するまで、前記通信先を切り替えて、前記記憶部に記憶されている通信先への緊急発信を順次行い、
前記一の通信先から前記受信信号を受信した後で、かつ、前記取得部で取得した位置情報が設定された範囲外である場合に、当該一の通信先から前記緊急発信に対応した対処が不可能である旨を示す対処不可信号を受信したら、前記通信部により前記記憶部に記憶されている通信先への緊急発信を新たに行う制御部と、
を備えることを特徴とする携帯通信機器。
【請求項２】
前記制御部は、前記対処不可信号を、当該一の通信先との通話中に受信することを特徴とする請求項１に記載の携帯通信機器。
【請求項３】
前記制御部は、前記対処不可信号と共に、当該一の通信先により指定された緊急発信先の情報を受信したら、前記緊急発信先に新たな緊急発信を行うことを特徴とする請求項１または２に記載の携帯通信機器。
【請求項４】
前記記憶部は、前記通信先への発信順序を記憶した通信先リストを記憶しており、
前記制御部は、当該一の通信先による緊急発信先の指定がない場合に、前記通信先リストにおいて、当該一の通信先の次の発信順序に設定されている通信先に緊急発信を行うことを特徴とする請求項３に記載の携帯通信機器。
【請求項５】
前記制御部は、一の通信先への緊急発信が成功したら当該一の通信先を緊急通信先として登録し、
当該一の通信先からの対処不可信号を受信したら、当該通信先に対する緊急通信先の登録を消去し、他の通信先へ自動で緊急発信を行うことを特徴とする請求項３または４に携帯通信機器。
【請求項６】
前記制御部は、新たな緊急発信を行った先の他の通信先から前記受信信号を受信したら、当該他の通信先を緊急通信先として登録することを特徴とする請求項５に記載の携帯通信機器。
【請求項７】
前記制御部は、前記取得部で取得した位置情報が設定された範囲内であることを検出した後、再度、前記取得部で取得した位置情報が設定された範囲外であることを検出したら、登録された前記緊急通信先に最初に緊急発信をすることを特徴とする請求項５または６に記載の携帯通信機器。
【請求項８】
前記制御部は、位置情報緊急発信後に、前記取得部で取得した位置情報が設定された範囲内となったら、前記対処不可信号を発した通信先に設定された範囲内にいることを通知することを特徴とする請求項１から７のいずれか１項に記載の携帯通信機器。
【発明の詳細な説明】
【技術分野】
【０００１】
本発明は、緊急情報を発信する携帯通信機器に関する。
【背景技術】
【０００２】
従来、緊急情報通知に関する技術が知られている。特許文献１には、親機からの電波が予め設定された時間受信不可の場合に、予め電話帳に登録されている電話番号の優先度の高い順に発信を行う技術が掲載されている。
【先行技術文献】
【特許文献】
【０００３】
【特許文献１】特開２００７−１２９３７８号公報
【発明の概要】
【発明が解決しようとする課題】
【０００４】
ここで、一度緊急情報通知が成功した後、緊急情報の受信者が何らかの理由により緊急事態への対処が出来なくなることが起こり得る。このような場合、緊急事態に対して実際に対処できる者に緊急発信を行うことが求められる。しかしながら、従来の技術では、このような場合に対応することができない。
【０００５】
本発明は、上記に鑑みてなされたものであって、緊急事態に対して実際に対処できる者に適切に緊急発信を行うことができる携帯通信機器を提供することを目的とする。
【課題を解決するための手段】
【０００６】
上述した課題を解決し、目的を達成するために、本発明は、自機の位置情報を取得する取得部と、通信先を複数記憶する記憶部と、前記記憶部に記憶された一の通信先に緊急発信を行い、前記緊急発信が受信されたことを示す受信信号を当該一の通信先から受信可能な通信部と、前記取得部で取得した位置情報が設定された範囲外である場合には、前記緊急発信が成功したことを示す受信信号を一の通信先から受信するまで、前記通信先を切り替えて、前記記憶部に記憶されている通信先への緊急発信を順次行い、前記一の通信先から前記受信信号を受信した後で、かつ、前記取得部で取得した位置情報が設定された範囲外である場合に、当該一の通信先から前記緊急発信に対応した対処が不可能である旨を示す対処不可信号を受信したら、前記通信部により前記記憶部に記憶されている通信先への緊急発信を新たに行う制御部と、を備えることを特徴とする。
【０００７】
ここで、前記制御部は、前記対処不可信号を、当該一の通信先との通話中に受信することが好ましい。
【０００８】
また、前記制御部は、前記対処不可信号と共に、当該一の通信先により指定された緊急発信先の情報を受信したら、前記緊急発信先に新たな緊急発信を行うことが好ましい。
【０００９】
また、前記記憶部は、前記通信先への発信順序を記憶した通信先リストを記憶しており、前記制御部は、当該一の通信先による緊急発信先の指定がない場合に、前記通信先リストにおいて、当該一の通信先の次の発信順序に設定されている通信先に緊急発信を行うことが好ましい。
【００１０】
また、前記制御部は、一の通信先への緊急発信が成功したら当該一の通信先を緊急通信先として登録し、当該一の通信先からの対処不可信号を受信したら、当該通信先に対する緊急通信先の登録を消去し、他の通信先へ自動で緊急発信を行うことが好ましい。
【００１１】
また、前記制御部は、新たな緊急発信を行った先の他の通信先から前記受信信号を受信したら、当該他の通信先を緊急通信先として登録することが好ましい。
【００１２】
また、前記制御部は、前記取得部で取得した位置情報が設定された範囲内であることを検出した後、再度、前記取得部で取得した位置情報が設定された範囲外であることを検出したら、登録された前記緊急通信先に最初に緊急発信をすることが好ましい。
【００１３】
また、前記制御部は、位置情報緊急発信後に、前記取得部で取得した位置情報が設定された範囲内となったら、前記対処不可信号を発した通信先に設定された範囲内にいることを通知することが好ましい。
【発明の効果】
【００１４】
本発明にかかる携帯通信機器は、緊急事態に対して実際に対処できる者に適切に緊急発信を行うことができるという効果を奏する。
【図面の簡単な説明】
【００１５】
【図１】携帯通信機器の一実施形態の概略構成を示すブロック図である。
【図２】記憶部に記憶される通信先テーブルの一例を示す図である。
【図３】携帯通信機器の動作の一例を示すフロー図である。
【図４】携帯通信機器の動作の一例を示すフロー図である。
【図５】携帯通信機器の動作の一例を示すフロー図である。
【図６】携帯通信機器と他の端末との間の通信シーケンスの一例を示す図である。
【図７】携帯通信機器の動作の一例を示すフロー図である。
【図８】携帯通信機器と通信する他の端末の表示画面の一例を示す図である。
【発明を実施するための形態】
【００１６】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯通信機器として携帯電話機を例として説明するが、本発明の適用対象は携帯電話機に限定されるものではなく、例えば、ＰＨＳ（Personal Handyphone System）、防犯用通信機器等に対しても本発明は適用できる。
【００１７】
まず、携帯通信機器の機能の概略構成を説明する。図１は、携帯通信機器の一実施形態の機能の概略構成を示すブロック図である。携帯通信機器１０は、無線通信機能を備えた携帯電話機である。図１に示すように携帯通信機器１０は、制御部２２と、記憶部２４と、通信部２６と、操作部２８と、音声処理部３０と、表示部３２と、位置情報取得部３４と、を有する。
【００１８】
制御部２２は、携帯通信機器１０の全体的な動作を統括的に制御する処理部、例えばＣＰＵ（Central Processing Unit）である。すなわち、携帯通信機器１０の各種の処理が、操作部２８の操作や携帯通信機器１０の記憶部２４に保存されるソフトウェアに応じて適切な手順で実行されるように、通信部２６、表示部３２等の動作を制御する。制御部２２は、記憶部２４に保存されているプログラム（例えば、オペレーティングシステムプログラム、アプリケーションプログラム等）に基づいて処理を実行する。また、制御部２２は、複数のプログラム（アプリケーション、ソフトウェア）を並列で実行することができる。
【００１９】
記憶部２４には、制御部２２での処理に利用されるアプリケーションのプログラムやデータが保存されている。具体的には、アプリケーションのプログラムとして、インターネット通信を行うアプリケーションのプログラムや、メールの送受信を行うアプリケーションのプログラム、音声データの再生を行うアプリケーションプログラム、発信、着信、通話処理を行うアプリケーションのプログラム、ワンセグ放送処理を行うアプリケーションのプログラム等が保存されている。また、データとしては、画像データ、音声データ、文字変換のための辞書データ、アドレス帳データ等が記憶されている。
【００２０】
また、記憶部２４には、緊急時に緊急発信する通信先の端末の電話番号を含む通信先テーブルが記憶されている。図２は、通信先テーブルの一例を示す図である。子どもの場合、この通信先テーブルでは、８人分の電話番号が格納されており、優先順位「１」として母親の端末の電話番号が、優先順位「２」として父親の端末の電話番号が、優先順位「３」として姉の電話番号が、優先順位「８」として祖父の端末の電話番号が、それぞれ格納されている。緊急時には、この通信先テーブル内の優先順位に従って、緊急情報の通信先の端末が選択される。なお、通信先テーブルは、ユーザによって作成、更新が可能である。
【００２１】
再び図１を参照すると、通信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００２２】
操作部２８は、例えば、電源キー、通話キー、数字キー、文字キー、方向キー、決定キー、発信キーなど、各種の機能が割り当てられた操作キー１３と専用キー１４とで構成され、これらのキーがユーザの操作により入力されると、その操作内容に対応する信号を発生させる。そして、発生した信号は、ユーザの指示として制御部２２へ入力される。
【００２３】
音声処理部３０は、マイク１５に入力される音声信号やレシーバ１６から出力される音声信号の処理を実行する。すなわち、音声処理部３０は、マイク１５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ１６へ出力する。
【００２４】
表示部３２は、液晶ディスプレイ（ＬＣＤ、Liquid Crystal Display）や、有機ＥＬ（Organic Electro-Luminescence）パネルなどで構成された表示パネルを備え、制御部２２から供給される映像データに応じた映像、画像データに応じた画像を表示パネルに表示させる。
【００２５】
位置情報取得部３４は、例えば、ＧＰＳ（Global Positioning System）モジュール等であり、携帯通信機器１０の位置情報を取得して、制御部２２に出力する。
【００２６】
次に、図３及び図４を用いて携帯通信機器１０の動作、具体的には、緊急情報発信制御動作について説明する。図３は、緊急情報発信制御における携帯通信機器１０の処理を示すフロー図であり、図４は、緊急発信サブルーチンを示すフロー図である。
【００２７】
まず、制御部２２は、ステップＳ１２として、迷子の状態になったか、つまり、位置情報取得部３４によって取得された位置が予め設定された範囲外であるか否かを判定する。制御部２２は、位置情報取得部３４によって取得された位置が予め設定された範囲外ではない（Ｎｏ）と判定したら、処理をステップＳ１２で待機させる。
【００２８】
制御部２２は、ステップＳ１２で位置情報取得部３４によって取得された位置が予め設定された範囲外である（Ｙｅｓ）と判定したら、ステップＳ１４として、変数ｉを１に設定する。その後、制御部２２は、ステップＳ１６として、緊急発信サブルーチンを実行する。
【００２９】
次に図４を用いて緊急発信サブルーチンについて説明する。まず、制御部２２は、ステップＳ２２として、通信先テーブルからｉ番目の電話番号を読み出して、緊急発信の通信先に設定する。
【００３０】
次に、制御部２２は、ステップＳ２４として、通信部２６によりステップＳ２２で設定した通信先に緊急発信し、ステップＳ２６として、通信先を記憶部２４内の発信実行者一覧に登録する。
【００３１】
次に、制御部２２は、ステップＳ２８として、通信先への緊急発信が成功したか、つまり、緊急発信が受信されたことを示す受信信号を受信したか否かを判定する。
【００３２】
制御部２２は、ステップＳ２８で通信先への緊急発信が成功した（Ｙｅｓ）と判定したら、ステップＳ３０として、緊急発信が成功した通信先を緊急発信成功先として記憶部２４に記憶（登録）し、緊急発信サブルーチン処理を終了する。
【００３３】
制御部２２は、ステップＳ２８で通信先への緊急発信が成功しなかった（Ｎｏ）と判定したら、ステップＳ３２として、変数ｉの値が通信先テーブルの登録者数（本例では８）と等しいか否かを判定する。
【００３４】
制御部２２は、ステップＳ３２で変数ｉの値が通信先テーブルの登録者数と等しくない（Ｎｏ）と判定したら、変数ｉをｉ＋１に設定し（変数ｉをインクリメントし）、処理をステップＳ２２に進める。
【００３５】
制御部２２は、ステップＳ３２で変数ｉの値が通信先テーブルの登録者数と等しい（Ｙｅｓ）と判定したら、変数ｉを１に設定し、処理をステップＳ２２に進める。
【００３６】
以上の処理により、携帯通信機器１０は、緊急発信が成功するまで通信先テーブル内の優先順位順に通信先を順次選択し、緊急発信を行うことができる。
【００３７】
次に、図５を用いて携帯通信機器１０の動作、具体的には、緊急発信成功先（図３のステップＳ３０で登録）からのキャンセル受け付け制御動作について説明する。なお、このキャンセル受け付け制御動作は、緊急発信が成功した後も、迷子の状態（予め設定された範囲外に位置する状態）が継続している際に、実行される。図５は、緊急発信成功先からのキャンセル受け付け制御における携帯通信機器１０の処理を示すフロー図である。
【００３８】
まず、制御部２２は、ステップＳ４２として、通信部２６により着信を受け付け、ステップＳ４４として、緊急発信が成功してから一定時間以内の緊急発信成功先からの着信であるか否かを判定する。制御部２２は、ステップＳ４４で緊急発信成功先からの着信ではない（Ｎｏ）と判定したら、処理を終了する。
【００３９】
制御部２２は、ステップＳ４４で緊急発信成功先からの着信である（Ｙｅｓ）と判定したら、ステップＳ４６として、通話が終了したか否かを判定する。制御部２２は、ステップＳ４６で通話が終了していない（Ｎｏ）と判定したら、通話が終了するまで処理をステップＳ４６で待機させる。
【００４０】
制御部２２は、ステップＳ４６で通話が終了した（Ｙｅｓ）と判定したら、ステップＳ４８として、通話中に緊急発信成功先から緊急発信に対応した対処が不可能である旨を示す対処不可信号を受け取ったか否かを判定する。制御部２２は、ステップＳ４８で対処不可信号を受け取っていない（Ｎｏ）と判定したら、処理を終了する。なお、対処不可信号として、キー操作によるキートーン音や、音声が例示される。
【００４１】
制御部２２は、ステップＳ４８で対処不可信号を受け取った（Ｙｅｓ）と判定したら、ステップＳ５０として、緊急発信成功先の登録を消去する。
【００４２】
次に、制御部２２は、ステップＳ５２として、通話中に緊急発信成功先から新たな緊急通信先の指定（優先順位を表す数値の指定）があったか否かを判定する。
【００４３】
制御部２２は、ステップＳ５２で緊急発信成功先から新たな緊急通信先の指定があった（Ｙｅｓ）と判定したら、ステップＳ５４として、変数ｉを指定された値に設定する。
【００４４】
制御部２２は、ステップＳ５２で緊急発信成功先から新たな緊急通信先の指定がなかった（Ｎｏ）と判定したら、ステップＳ５６として、変数ｉを緊急発信成功先の優先順位値＋１に設定する（変数ｉをインクリメントする）。
【００４５】
制御部２２は、ステップＳ５４またはステップＳ５６で変数ｉの値を設定したら、ステップＳ５８として、変数ｉの値が通信先テーブルの登録者数（本例では８）より大きいか否かを判定する。
【００４６】
制御部２２は、ステップＳ５８で変数ｉの値が通信先テーブルの登録者数より大きい（Ｙｅｓ）と判定したら、ステップＳ６０として、変数ｉを１に設定する。
【００４７】
制御部２２は、ステップＳ５８で変数ｉの値が通信先テーブルの登録者数より大きくない（Ｎｏ）と判定したら、またはステップＳ６０で変数ｉを１に設定したら、ステップＳ６２として、緊急発信サブルーチン処理（図４参照）を実行する。
【００４８】
以上の処理により、携帯通信機器１０は、緊急発信成功先から緊急対処が不可能である旨を受け付けることができるとともに、通信先テーブルに登録されている他の者に緊急発信を行うことができ、緊急発信成功先から新たな緊急通信先の指定を受け付けることができる。
【００４９】
次に、図６を用いて、図３〜図５のフロー図によって実現される、携帯通信機器１０（緊急発信者の端末）と通信先テーブルに登録されている登録者の端末との間の通信シーケンスの例について説明する。図６は、緊急発信者の端末と通信先テーブルに登録されている登録者の端末との間の通信シーケンスの例を示す図である。
【００５０】
まず、緊急発信者Ａの端末は、ステップＳ７２として、通信先テーブルに登録されている優先順位「１」の登録者（登録者１）の端末に緊急発信を行うが、応答がないので、ステップＳ７４として、優先順位「２」の登録者（登録者２）の端末に緊急発信を行う。登録者２の端末は、ステップＳ７６として、留守番電話での応答を行い、緊急発信の受信信号を送信しない。
【００５１】
緊急発信者Ａの端末は、ステップＳ７８として、優先順位「３」の登録者（登録者３）の端末に緊急発信を行う。登録者３の端末は、ステップＳ８０として、登録者３の操作に基づき、通話での応答を行い、緊急発信の受信信号を送信する。緊急発信者Ａの端末は、緊急発信の受信信号を受信すると、ステップＳ８２として、登録者３を緊急発信成功先として記憶する。
【００５２】
その後、登録者３に何らかの事情が発生し、緊急事態に対処できなくなると、登録者３の端末は、ステップＳ８４として、登録者３の操作に基づき、緊急発信者Ａの端末に発信し、対処不可信号及び次の送信先を優先順位「８」の登録者（登録者８）に指定する信号を緊急発信者Ａの端末に送信する。緊急発信者Ａの端末は、ステップＳ８６として、それらの信号を受信し、緊急発信成功先の登録を消去する。
【００５３】
緊急発信者Ａの端末は、ステップＳ８８として、登録者８の端末に緊急発信を行う。登録者８の端末は、ステップＳ９０として、登録者８の操作に基づき、通話での応答を行い、緊急発信の受信信号を送信する。緊急発信者Ａの端末は、緊急発信の受信信号を受信すると、ステップＳ９２として、登録者８を緊急発信成功先として記憶する。
【００５４】
このように、携帯通信機器１０は、緊急発信成功先から対処不可信号を受け付けることができるとともに、緊急発信成功先から新たな緊急通信先の指定を受け付けることができる。これにより、迷子の対象者が操作を行うことなく他の者に通知を行うことができる。また、迷子が放置されることを抑制することができる。
【００５５】
次に、図７を用いて携帯通信機器１０の動作、具体的には、緊急事態が解消した（迷子の状態ではなくなった）場合の制御動作について説明する。図７は、緊急事態が解消した場合の制御における携帯通信機器１０の処理を示すフロー図である。
【００５６】
まず、制御部２２は、ステップＳ１０２として、迷子の状態が解消したか、つまり、位置情報取得部３４により取得された位置が予め設定された領域内であるか否かを判定する。制御部２２は、ステップＳ１０２で位置情報取得部３４によって取得された位置が予め設定された領域内ではない（Ｎｏ）と判定したら、位置情報取得部３４によって取得された位置が予め設定された領域内になるまで処理をステップＳ１０２で待機させる。
【００５７】
制御部２２は、ステップＳ１０２で位置情報取得部３４によって取得された位置が予め設定された領域内である（Ｙｅｓ）と判定したら、ステップＳ１０４として、変数ｉを１に設定する。
【００５８】
制御部２２は、ステップＳ１０６として、記憶部２４内の発信実行者一覧（図４のステップＳ２６で登録）からｉ番目を読み出して通信先に設定し、ステップＳ１０８として、迷子の状態が解消した、つまり、緊急事態が解決した旨の連絡を発信する。緊急事態が解決した旨の連絡は、電子メールで行うようにしても良いし、特殊な着信履歴が残る発信で行うようにしても良い。図８は、緊急事態が解決した旨の連絡を受信した端末の表示画面の一例を示す図である。図８に示すように、緊急事態が解決した旨の連絡は、「＊＊が救出されました！」等の特殊な着信履歴が残る発信で行うようにしても良い。
【００５９】
制御部２２は、ステップＳ１１０として、発信実行者一覧に含まれる通信先の全てに緊急事態が解決した旨の連絡を送ったか否かを判定する。制御部２２は、ステップＳ１１０で発信実行者一覧に含まれる通信先の全てに緊急事態が解決した旨の連絡を送っていない（Ｎｏ）と判定したら、ステップＳ１１２として、変数ｉをｉ＋１に設定し（変数ｉをインクリメントし）、処理をステップＳ１０６に進める。
【００６０】
制御部２２は、ステップＳ１１０で発信実行者一覧に含まれる通信先の全てに緊急事態が解決した旨の連絡を送った（Ｙｅｓ）と判定したら、処理を終了する。なお、対処不可信号を発した通話先に対してのみ、緊急事態が解決した旨の連絡をしても良い。
【００６１】
以上の処理により、発信実行者一覧に含まれる通信先、つまり、緊急情報が発信された通信先は、緊急事態が解決した旨の連絡を受け取ることができる。これにより、緊急情報が発信された通信先の登録者は、緊急事態が解決した旨を知ることができる。
【００６２】
なお、この後、携帯通信機器１０が設定された範囲外に再び移動した場合には、緊急発信成功先（図４のステップＳ３０で登録）として登録されている登録者が対処可能である可能性が高いので、携帯通信機器１０は、緊急通信成功先として登録されている通信先に最初に緊急発信をするようにすると好適である。なお、緊急事態が解決した後から携帯通信機器１０が設定された範囲外に再び移動するまでの時間によって設定を変えることとしても良い。例えば、２時間未満の場合には、緊急発信成功先として登録されている登録者が対処可能である可能性が高いので、携帯通信機器１０は、緊急通信成功先として登録されている通信先に最初に緊急発信をするようにし、２時間以上経過している場合には、登録者の状況が変わっていることが考えられるので、携帯通信機器１０は、優先順位「１」として登録されている者の端末に最初に緊急発信をするようにしてもよい。このように時間に応じて切り替えることで、状況の変化に対応することができる。つまり、時間が経過すると買い物、仕事で対応できなかった者が対応可能になっていることが考えられ、時間によって設定を変えることで、そのような状況の変化に対応することができる。
【００６３】
なお、本実施形態では、緊急事態として迷子を例に挙げて説明したが、これに限定されず、老人の徘徊等にも利用できる。
【産業上の利用可能性】
【００６４】
以上のように、本発明にかかる携帯通信機器は、緊急情報を発信するのに有用である。
【符号の説明】
【００６５】
１０  携帯通信機器
１３  操作キー
１４  専用キー
１５  マイク
１６  レシーバ
２２  制御部
２４  記憶部
２６  通信部
２６ａ  アンテナ
２８  操作部
３０  音声処理部
３２  表示部
３４  位置情報取得部
【図１】
2011155515.tif 000003
【図２】
2011155515.tif 000004
【図３】
2011155515.tif 000005
【図４】
2011155515.tif 000006
【図５】
2011155515.tif 000007
【図６】
2011155515.tif 000008
【図７】
2011155515.tif 000009
【図８】
2011155515.tif 000010